(57)【要約】 本発明の実施例は、情報を伝送する方法及びデバイスを提供し、この方法は、第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するステップと、前記第１の時間領域リソースが利用可能である場合、前記第１のデバイスが前記第１の時間領域リソースを介して前記第１の情報を送信するステップと、を含む。
2021520088.tif 000002
【特許請求の範囲】
【請求項１】
第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するステップと、
前記第１の時間領域リソースが利用可能である場合、前記第１のデバイスが前記第１の時間領域リソースを介して前記第１の情報を送信するステップと、を含む
ことを特徴とする情報を伝送する方法。
【請求項２】
前記第１のエネルギー検出閾値は、第１の送信電力に従って決定され、
前記第１のデバイスが前記第１の時間領域リソースを介して前記第１の情報を送信するステップは、
前記第１のデバイスが、第２の送信電力を使用して、前記第１の時間領域リソースを介して前記第１の情報を送信するステップを含み、前記第２の送信電力の大きさは、前記第１の送信電力の大きさとは異なる
ことを特徴とする請求項１に記載の方法。
【請求項３】
前記第１のデバイスが前記第１の時間領域リソースを介して前記第１の情報を送信するステップは、
前記第１のデバイスが、第２のビームを使用して、前記第１の時間領域リソースを介して前記第１の情報を送信するステップを含み、前記第２のビームは前記第１のビームと異なり、前記第２のビームに対応する方向と前記第１のビームに対応する方向は少なくとも部分的に重なっている
ことを特徴とする請求項１又は２に記載の方法。
【請求項４】
前記第１のビームは第１のビーム集合内のビームであり、前記第２のビームは第２のビーム集合内のビームである
ことを特徴とする請求項３に記載の方法。
【請求項５】
前記第１のビームに対応する方向は前記第２のビームに対応する方向を含み、前記第１のビームのカバレッジ角度は前記第２のビームのカバレッジ角度より大きい
ことを特徴とする請求項３又は４に記載の方法。
【請求項６】
前記第１のビームのビームゲインは前記第２のビームのビームゲインより小さく、前記第２の送信電力は前記第１の送信電力より小さい
ことを特徴とする請求項３〜５のいずれか１項に記載の方法。
【請求項７】
前記第２の送信電力の大きさは、前記第１の送信電力の大きさから調整量を引いたものに等しく、前記調整量は、前記第２のビームのビームゲインの大きさと前記第１のビームのビームゲインの大きさとの差に応じて決定される
ことを特徴とする請求項６に記載の方法。
【請求項８】
前記第１のビームのビームゲインは前記第２のビームのビームゲインより大きく、前記第２の送信電力は前記第１の送信電力以上である
ことを特徴とする請求項３〜５のいずれか１項に記載の方法。
【請求項９】
前記第２の送信電力の大きさは、前記第１の送信電力の大きさに調整量を加えたものに等しく、前記調整量は、前記第２のビームのビームゲインの大きさと前記第１のビームのビームゲインの大きさとの差に応じて決定される
ことを特徴とする請求項８に記載の方法。
【請求項１０】
前記第１のデバイスが、第２のデバイスにより送信された、前記第２のビームの情報を指示するための第１の指示情報を受信するステップと、
前記第１のデバイスが、前記第２のビームの情報に従って前記第１のビームの情報を決定するステップと、をさらに含む
ことを特徴とする請求項３〜９のいずれか１項に記載の方法。
【請求項１１】
前記第１のデバイスが、第２のデバイスにより送信された、前記第１のビームの情報を指示するための第２の指示情報を受信するステップをさらに含む
ことを特徴とする請求項３〜１０のいずれか１項に記載の方法。
【請求項１２】
前記第１のデバイスが、第２のデバイスにより送信された、前記第２の送信電力の情報を決定するための第３の指示情報を受信するステップと、
前記第１のデバイスが、前記第２の送信電力の情報に従って前記第１の送信電力を決定するステップと、をさらに含む
ことを特徴とする請求項３〜１１のいずれか１項に記載の方法。
【請求項１３】
前記第１のデバイスはネットワークデバイスである
ことを特徴とする請求項１〜１１のいずれか１項に記載の方法。
【請求項１４】
前記第１のデバイスは端末デバイスである
ことを特徴とする請求項１〜１２のいずれか１項に記載の方法。
【請求項１５】
第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するステップと、
前記第１の時間領域リソースが利用可能である場合、第１のビームのカバレッジ角度がデータ送信に使用される第２のビームのカバレッジ角度より小さければ、前記第１のデバイスは前記第１の時間領域リソースを介して前記第１の情報を送信しないステップと、を含み、
前記第２のビームに対応する方向と前記第１のビームに対応する方向は、少なくとも部分的に重なっている
ことを特徴とする情報を伝送する方法。
【請求項１６】
前記第１のビームは第１のビーム集合内のビームであり、前記第２のビームは第２のビーム集合内のビームである
ことを特徴とする請求項１５に記載の方法。
【請求項１７】
前記第１のデバイスが、第２のデバイスにより送信された、前記第２のビームの情報を指示するための第１の指示情報を受信するステップと、
前記第１のデバイスが、前記第２のビームの情報に従って前記第１のビームの情報を決定するステップと、をさらに含む
ことを特徴とする請求項１５又は１６に記載の方法。
【請求項１８】
前記第１のデバイスが、第２のデバイスにより送信された、前記第１のビームの情報を指示するための第２の指示情報を受信するステップをさらに含む
ことを特徴とする請求項１５〜１７のいずれか１項に記載の方法。
【請求項１９】
前記第１のデバイスはネットワークデバイスである
ことを特徴とする請求項１５〜１８のいずれか１項に記載の方法。
【請求項２０】
前記第１のデバイスは端末デバイスである
ことを特徴とする請求項１５〜１８のいずれか１項に記載の方法。
【請求項２１】
第１のビーム及び第１のエネルギー検出閾値を使用して、アンライセンスキャリア上の第１のチャネルに対してチャネル検出を行うことで、第１の情報を送信するために使用される第１の時間領域リソースが利用可能であるか否かを決定する決定モジュールと、
前記第１の時間領域リソースが利用可能である場合、前記第１の時間領域リソースを介して前記第１の情報を送信する通信モジュールと、を含む
ことを特徴とする情報を伝送するデバイス。
【請求項２２】
前記第１のエネルギー検出閾値は、第１の送信電力に従って決定され、
前記通信モジュールはまた、第２の送信電力を使用して、前記第１の時間領域リソースを介して前記第１の情報を送信するために使用され、
前記第２の送信電力の大きさは前記第１の送信電力の大きさとは異なる
ことを特徴とする請求項２１に記載のデバイス。
【請求項２３】
前記通信モジュールはまた、第２のビームを使用して、前記第１の時間領域リソースを介して前記第１の情報を送信するために使用され、
前記第２のビームは前記第１のビームとは異なり、前記第２のビームに対応する方向と前記第１のビームに対応する方向は少なくとも部分的に重なっている
ことを特徴とする請求項２１又は２２に記載のデバイス。
【請求項２４】
前記第１のビームは第１のビーム集合内のビームであり、前記第２のビームは第２のビーム集合内のビームである
ことを特徴とする請求項２３に記載のデバイス。
【請求項２５】
前記第１のビームに対応する方向は、前記第２のビームに対応する方向を含み、前記第１のビームのカバレッジ角度は、前記第２のビームのカバレッジ角度より大きい
ことを特徴とする請求項２３又は２４に記載のデバイス。
【請求項２６】
前記第１のビームのビームゲインは前記第２のビームのビームゲインより小さく、前記第２の送信電力は前記第１の送信電力より小さい
ことを特徴とする請求項２３〜２５のいずれか１項に記載のデバイス。
【請求項２７】
前記第２の送信電力の大きさは、前記第１の送信電力の大きさから調整量を引いたものに等しく、前記調整量は、前記第２のビームのビームゲインの大きさと前記第１のビームのビームゲインの大きさとの差に応じて決定される
ことを特徴とする請求項２６に記載のデバイス。
【請求項２８】
前記第１のビームのビームゲインは前記第２のビームのビームゲインより大きく、前記第２の送信電力は前記第１の送信電力以上である
ことを特徴とする請求項２３〜２５のいずれか１項に記載のデバイス。
【請求項２９】
前記第２の送信電力の大きさは、前記第１の送信電力の大きさに調整量を加えたものに等しく、前記調整量は、前記第２のビームのビームゲインの大きさと前記第１のビームのビームゲインの大きさとの差に応じて決定される
ことを特徴とする請求項２８に記載のデバイス。
【請求項３０】
前記通信モジュールはまた、第２のデバイスにより送信された、前記第２のビームの情報を指示するための第１の指示情報を受信するために使用され、
前記決定モジュールはまた、前記第２のビームの情報に従って前記第１のビームの情報を決定するために使用される
ことを特徴とする請求項２３〜２９のいずれか１項に記載のデバイス。
【請求項３１】
前記通信モジュールはまた、第２のデバイスにより送信された、前記第１のビームの情報を指示するための第２の指示情報を受信するために使用される
ことを特徴とする請求項２３〜３０のいずれか１項に記載のデバイス。
【請求項３２】
前記通信モジュールはまた、第２のデバイスにより送信された、前記第２の送信電力の情報を決定するための第３の指示情報を受信するために使用され、
前記決定モジュールはまた、前記第２の送信電力の情報に従って前記第１の送信電力を決定するために使用される
ことを特徴とする請求項２３〜３１のいずれか１項に記載のデバイス。
【請求項３３】
前記デバイスはネットワークデバイスである
ことを特徴とする請求項２１〜３１のいずれか１項に記載のデバイス。
【請求項３４】
前記デバイスは端末デバイスである
ことを特徴とする請求項２１〜３２のいずれか１項に記載のデバイス。
【請求項３５】
第１のビーム及び第１のエネルギー検出閾値を使用して、アンライセンスキャリア上の第１のチャネルに対してチャネル検出を行うことで、第１の情報を送信するために使用される第１の時間領域リソースが利用可能であるか否かを決定する決定モジュールと、
前記第１の時間領域リソースが利用可能である場合、第１のビームのカバレッジ角度がデータ送信に使用される第２のビームのカバレッジ角度より小さければ、前記第１の時間領域リソースを介して前記第１の情報を送信しない通信モジュールと、を含み、
前記第２のビームに対応する方向と前記第１のビームに対応する方向は、少なくとも部分的に重なっている
ことを特徴とする情報を伝送するデバイス。
【請求項３６】
前記第１のビームは第１のビーム集合内のビームであり、前記第２のビームは第２のビーム集合内のビームである
ことを特徴とする請求項３５に記載のデバイス。
【請求項３７】
前記通信モジュールはまた、
第２のデバイスにより送信された、前記第２のビームの情報を指示するための第１の指示情報を受信し、
前記第２のビームの情報に従って前記第１のビームの情報を決定するために使用される
ことを特徴とする請求項３５又は３６に記載のデバイス。
【請求項３８】
前記通信モジュールはまた、第２のデバイスにより送信された、前記第１のビームの情報を指示するための第２の指示情報を受信するために使用される
ことを特徴とする請求項３５〜３７のいずれか１項に記載のデバイス。
【請求項３９】
前記デバイスはネットワークデバイスである
ことを特徴とする請求項３５〜３８のいずれか１項に記載のデバイス。
【請求項４０】
前記デバイスは端末デバイスである
ことを特徴とする請求項３５〜３８のいずれか１項に記載のデバイス。
【発明の詳細な説明】
【技術分野】
【０００１】
本発明の実施例は、通信の分野に関し、より具体的には、情報を伝送する方法及びデバイスに関する。
【背景技術】
【０００２】
ロングタームエボリューション（Ｌｏｎｇ  Ｔｅｒｍ  Ｅｖｏｌｕｔｉｏｎ：ＬＴＥ）に基づくライセンス補助アクセス（Ｌｉｃｅｎｓｅｄ−Ａｓｓｉｓｔｅｄ  Ａｃｃｅｓｓ）（ＬＡＡ−ＬＴＥ）システムでは、ライセンススペクトル上のキャリアをプライマリキャリアとし、アンライセンススペクトル上のキャリアをセカンダリーキャリアとして端末デバイスにサービスを提供し、ここで、アンライセンススペクトル上では、通信デバイスは「リッスンビフォアトーク（Ｌｉｓｔｅｎ  Ｂｅｆｏｒｅ  Ｔａｌｋ：ＬＢＴ）」の原則に従い、即ち、通信デバイスは、アンライセンススペクトルのチャネル上で信号送信を行う前にチャネル検出を行う必要があり、チャネル検出の結果、チャネルがアイドル状態にある場合のみ、この通信デバイスは信号送信を行うことができ、アンライセンススペクトルのチャネル上での通信デバイスのチャネル検出結果がチャネルビジーである場合、この通信デバイスは信号送信を行うことができない。
【０００３】
新しい無線（Ｎｅｗ  Ｒａｄｉｏ：ＮＲ）技術をアンライセンスキャリアに適用する場合、セルの空間多重伝送能力を向上するためにビームフォーミング（ｂｅａｍｆｏｒｍｉｎｇ）技術が導入され、この場合、データ伝送のためのチャネル検出をどのように行うかは、検討に値する問題である。
【発明の概要】
【０００４】
本発明の実施例は、アンライセンスキャリア上のデータ伝送を実現することができる、情報を伝送する方法及びデバイスを提供する。
【０００５】
第１の態様によれば、第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するステップと、前記第１の時間領域リソースが利用可能である場合、前記第１のデバイスが前記第１の時間領域リソースを介して前記第１の情報を送信するステップと、を含む情報を伝送する方法が提供される。
【０００６】
したがって、本発明の実施例では、第１のデバイスは、第１のビーム及び第１のエネルギー検出閾値を使用してチャネル検出を行うことで、データ伝送に使用される時間領域リソースが利用可能であるか否かを決定することができ、さらに、第１のデバイスは、当該時間領域リソースが利用可能である場合に、当該時間領域リソースを介してデータ伝送を行うことができ、これにより、アンライセンスキャリア上のデータ伝送を実現することができる。
【０００７】
一可能な実現形態では、前記第１のエネルギー検出閾値は、第１の送信電力に従って決定され、前記第１のデバイスが前記第１の時間領域リソースを介して前記第１の情報を送信するステップは、
前記第１のデバイスが、第２の送信電力を使用して、前記第１の時間領域リソースを介して前記第１の情報を送信するステップを含み、前記第２の送信電力の大きさは前記第１の送信電力の大きさとは異なる。
【０００８】
したがって、本発明の実施例では、第１のデバイスは、信号送信に使用される第２の送信電力及びチャネル検出に使用される第１の送信電力を制御することによって、チャネル検出範囲をデータ伝送範囲以上にすることができ、これにより、データ伝送による他の通信リンクへの干渉を回避するのに有利であると同時に、データの効果的な伝送を確保することもできる。
【０００９】
一可能な実現形態では、前記第１のデバイスが前記第１の時間領域リソースを介して前記第１の情報を送信するステップは、前記第１のデバイスが、第２のビームを使用して、前記第１の時間領域リソースを介して前記第１の情報を送信するステップを含み、前記第２のビームは前記第１のビームと異なり、前記第２のビームに対応する方向と前記第１のビームに対応する方向は少なくとも部分的に重なっている。
【００１０】
なお、本発明の実施例では、１つのビームに対応する空間領域カバレッジは、このビームの対応する方向、カバレッジ角度、及び信号振幅（又はビームゲイン）により共同で決定されてもよい。信号受信に使用される第１のビームに対応する空間領域カバレッジが信号送信に使用される第２のビームに対応する空間領域カバレッジと完全に同じである場合、この第１のビームと第２のビームは同じであると見なすことができ、そうでない場合、第１のビームと第２のビームは異なる。ここで、第１のビームに対応する空間領域カバレッジが第２のビームに対応する空間領域カバレッジと完全に同じであるとは、同じ信号振幅を想定したとき、前記第１のビームの対応する方向及びカバレッジ角度が前記第２のビームの対応する方向及びカバレッジ角度と同じであることを意味することができる。
【００１１】
一可能な実現形態では、前記第１のビームは第１のビーム集合内のビームであり、前記第２のビームは第２のビーム集合内のビームである。
【００１２】
一可能な実現形態では、前記第１のビームに対応する方向は前記第２のビームに対応する方向を含み、前記第１のビームのカバレッジ角度は前記第２のビームのカバレッジ角度より大きい。
【００１３】
一可能な実現形態では、前記第１のビームのビームゲインは前記第２のビームのビームゲインより小さく、前記第２の送信電力の大きさは前記第１の送信電力の大きさより小さい。
【００１４】
一可能な実現形態では、前記第２の送信電力の大きさは、前記第１の送信電力の大きさから調整量を引いたものに等しく、前記調整量は、前記第２のビームのビームゲインの大きさと前記第１のビームのビームゲインの大きさとの差に応じて決定される。
【００１５】
一可能な実現形態では、前記第１のビームのビームゲインは前記第２のビームのビームゲインより大きく、前記第２の送信電力の大きさは前記第１の送信電力の大きさより大きい。
【００１６】
一可能な実現形態では、前記第２の送信電力の大きさは、前記第１の送信電力の大きさに調整量を加えたものに等しく、前記調整量は、前記第２のビームのビームゲインの大きさと前記第１のビームのビームゲインの大きさとの差に応じて決定される。
【００１７】
選択的に、調整量Ｘは、前記第１のビームのビームゲインと前記第２のビームのビームゲインとの差であってもよく、例えば、前記Ｘは、第１のビームのビームゲインと前記第２のビームのビームゲインとの電力差であってもよく、又は、第１のビームのビームゲインと前記第２のビームのビームゲインとのエネルギー差であってもよく、又は、第１のビームのビームゲインと前記第２のビームのビームゲインとの信号対雑音比の差であってもよい。
【００１８】
一可能な実現形態では、前記第１のビームのビームゲインは前記第２のビームのビームゲインより大きく、前記第２の送信電力の大きさは前記第１の送信電力の大きさに等しい。
【００１９】
一可能な実現形態では、前記方法は、前記第１のデバイスが、第２のデバイスにより送信された、前記第２のビームの情報を指示するための第１の指示情報を受信するステップと、
前記第１のデバイスが、前記第２のビームの情報に従って前記第１のビームの情報を決定するステップと、をさらに含む。
【００２０】
一可能な実現形態では、前記方法は、前記第１のデバイスが、第２のデバイスにより送信された、前記第１のビームの情報を指示するための第２の指示情報を受信するステップをさらに含む。
【００２１】
一可能な実現形態では、前記方法は、前記第１のデバイスが、第２のデバイスにより送信された、前記第２の送信電力の情報を決定するための第３の指示情報を受信するステップと、
前記第１のデバイスが、前記第２の送信電力の情報に従って前記第１の送信電力を決定するステップと、をさらに含む。
【００２２】
一可能な実現形態では、前記第１のデバイスはネットワークデバイス又は端末デバイスである。
【００２３】
第２の態様によれば、第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するステップと、前記第１の時間領域リソースが利用可能である場合、第１のビームのカバレッジ角度がデータ送信に使用される第２のビームのカバレッジ角度より小さければ、前記第１のデバイスは前記第１の時間領域リソースを介して前記第１の情報を送信しないステップと、を含み、前記第２のビームに対応する方向と前記第１のビームに対応する方向は、少なくとも部分的に重なっている情報を伝送する方法が提供される。
【００２４】
一可能な実現形態では、前記第１のビームは第１のビーム集合内のビームであり、前記第２のビームは第２のビーム集合内のビームである。
【００２５】
一可能な実現形態では、前記方法は、前記第１のデバイスが、第２のデバイスにより送信された、前記第２のビームの情報を指示するための第１の指示情報を受信するステップと、前記第１のデバイスが、前記第２のビームの情報に従って前記第１のビームの情報を決定するステップと、をさらに含む。
【００２６】
一可能な実現形態では、前記方法は、前記第１のデバイスが、第２のデバイスにより送信された、前記第１のビームの情報を指示するための第２の指示情報を受信するステップをさらに含む。
【００２７】
一可能な実現形態では、前記第１のデバイスはネットワークデバイス又は端末デバイスである。
【００２８】
第３の態様によれば、上記の第１の態様又は第１の態様の任意の可能な実現形態における方法を実行する情報を伝送するデバイスが提供される。具体的に、このデバイスは、上記の第１の態様又は第１の態様のいずれかの可能な実現形態における方法を実行するためのユニットを備える。
【００２９】
第４の態様によれば、情報を伝送するデバイスが提供され、このデバイスは、メモリ、プロセッサー、入力インターフェース、及び出力インターフェースを含む。ここで、メモリ、プロセッサー、入力インターフェース、及び出力インターフェースはバスシステムを介して接続されている。このメモリは、命令を格納するために使用され、このプロセッサーは、このメモリに格納された命令を実行し、上記の第１の態様又は第１の態様のいずれかの可能な実現形態における方法を実行するために使用される。
【００３０】
第５の態様によれば、上記の第２の態様又は第２の態様の任意の可能な実現形態における方法を実行する情報を伝送するデバイスが提供される。具体的に、このデバイスは、上記の第２の態様又は第２の態様のいずれかの可能な実現形態における方法を実行するためのユニットを備える。
【００３１】
第６の態様によれば、情報を伝送するデバイスが提供され、このデバイスは、メモリ、プロセッサー、入力インターフェース、及び出力インターフェースを含む。ここで、メモリ、プロセッサー、入力インターフェース、及び出力インターフェースはバスシステムを介して接続されている。このメモリは、命令を格納するために使用され、このプロセッサーは、このメモリに格納された命令を実行し、上記の第２の態様又は第２の態様のいずれかの可能な実現形態における方法を実行するために使用される。
【００３２】
第７の態様によれば、上記の第１の態様又は第１の態様の任意の可能な実現形態における方法を実行するためのコンピュータソフトウェア命令を格納するコンピュータ記録媒体が提供され、上記の態様を実行するように設計されたプログラムを含む。
【００３３】
第８の態様によれば、命令を含むコンピュータプログラム製品が提供され、コンピュータ上で実行されると、コンピュータに上記の第１の態様又は第１の態様のいずれかの選択可能な実現形態における方法を実行させる。
【００３４】
第９の態様によれば、上記の第２の態様又は第２の態様の任意の可能な実現形態における方法を実行するためのコンピュータソフトウェア命令を格納するコンピュータ記録媒体が提供され、上記の態様を実行するように設計されたプログラムを含む。
【００３５】
第１０の態様によれば、命令を含むコンピュータプログラム製品が提供され、コンピュータ上で実行されると、コンピュータに上記の第２の態様又は第２の態様のいずれかの選択可能な実現形態における方法を実行させる。
【図面の簡単な説明】
【００３６】
【図１】本発明の実施例に係る情報を伝送する方法の概略フローチャートを示す。
【図２】本発明の実施例に係るアプリケーションシナリオの概略図を示す。
【図３】本発明の実施例に係る別のアプリケーションシナリオの概略図を示す。
【図４】本発明の別の実施例に係る情報を伝送する方法の概略フローチャートを示す。
【図５】本発明の実施例に係るアプリケーションシナリオの概略図を示す。
【図６】本発明の一実施例に係る情報を伝送するデバイスの概略ブロック図を示す。
【図７】本発明の別の実施例に係る情報を伝送するデバイスの概略ブロック図を示す。
【図８】本発明の実施例に係る情報を伝送するデバイスの概略ブロック図を示す。
【図９】本発明の別の実施例に係る情報を伝送するデバイスの概略ブロック図を示す。
【発明を実施するための形態】
【００３７】
以下、本発明の実施例に係る図面を参照しながら、本発明の実施例における技術手段を説明する。
【００３８】
本発明の実施例は、例えばグローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ：ＧＰＲＳ）、ロングタームエボリューション（Ｌｏｎｇ  Ｔｅｒｍ  Ｅｖｏｌｕｔｉｏｎ：ＬＴＥ）システム、アドバンスドロングタームエボリューション（Ａｄｖａｎｃｅｄ  ｌｏｎｇ  ｔｅｒｍ  ｅｖｏｌｕｔｉｏｎ：ＬＴＥ−Ａ）システム、新しい無線（Ｎｅｗ  Ｒａｄｉｏ：ＮＲ）システム、ＮＲシステムの進化システム、アンライセンススペクトル上のＬＴＥ（ＬＴＥ−ｂａｓｅｄ  ａｃｃｅｓｓ  ｔｏ  ｕｎｌｉｃｅｎｓｅｄ  ｓｐｅｃｔｒｕｍ：ＬＴＥ−Ｕ）システム、アンライセンススペクトル上のＮＲ（ＮＲ−ｂａｓｅｄ  ａｃｃｅｓｓ  ｔｏ  ｕｎｌｉｃｅｎｓｅｄ  ｓｐｅｃｔｒｕｍ：ＮＲ−Ｕ）システム、ユニバーサルモバイル通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、無線ローカルエリアネットワーク（Ｗｉｒｅｌｅｓｓ  Ｌｏｃａｌ  Ａｒｅａ  Ｎｅｔｗｏｒｋｓ：ＷＬＡＮ）、ワイヤレスフィディリティー（Ｗｉｒｅｌｅｓｓ  Ｆｉｄｅｌｉｔｙ：ＷｉＦｉ）、次世代通信システム、又は他の通信システム等の様々な通信システムに適用することができる。
【００３９】
一般的には、従来の通信システムは、限られた数の接続をサポートし、実現も容易であるが、通信技術の発展に伴い、モバイル通信システムは従来の通信をサポートするだけでなく、例えば、デバイス間（Ｄｅｖｉｃｅ  ｔｏ  Ｄｅｖｉｃｅ：Ｄ２Ｄ）通信、マシン間（Ｍａｃｈｉｎｅ  ｔｏ  Ｍａｃｈｉｎｅ：Ｍ２Ｍ）通信、マシンタイプ通信（Ｍａｃｈｉｎｅ  Ｔｙｐｅ  Ｃｏｍｍｕｎｉｃａｔｉｏｎ：ＭＴＣ）、及び車両間（Ｖｅｈｉｃｌｅ  ｔｏ  Ｖｅｈｉｃｌｅ：Ｖ２Ｖ）通信等もサポートするようになり、本発明の実施例は、これらの通信システムにも適用することができる。
【００４０】
選択的に、本発明の実施例における通信システムは、キャリアアグリゲーション（Ｃａｒｒｉｅｒ  Ａｇｇｒｅｇａｔｉｏｎ：ＣＡ）シナリオに適用することができ、二重接続（Ｄｕａｌ  Ｃｏｎｎｅｃｔｉｖｉｔｙ：ＤＣ）シナリオにも適用することができ、また、スタンドアロン（Ｓｔａｎｄａｌｏｎｅ：ＳＡ）シナリオにも適用することができる。
【００４１】
本発明の実施例は、適用するスペクトルを限定しない。例えば、本発明の実施例は、ライセンススペクトルに適用することができ、アンライセンススペクトルにも適用することができる。
【００４２】
本発明の実施例は、ネットワークデバイス及び端末デバイスに関連しながら、各実施例を説明しており、ここで、端末デバイスは、ユーザデバイス（Ｕｓｅｒ  Ｅｑｕｉｐｍｅｎｔ：ＵＥ）、アクセス端末、ユーザユニット、ユーザ局、モバイルステーション、移動局、リモート局、リモート端末、モバイルデバイス、ユーザ端末、端末、無線通信デバイス、ユーザエージェント、又はユーザ装置等と呼ばれてもよい。端末デバイスは、ＷＬＡＮにおけるステーション（ＳＴＡＩＯＮ：ＳＴ）であってもよく、携帯電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、無線ロカールループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）デバイス、無線通信機能付きハンドヘルドデバイス、計算デバイス又は無線モデムに接続されている他の処理デバイス、車載デバイス、ウェアラブルデバイス、及びＮＲネットワークにおける端末デバイス又は将来進化の公衆地上移動ネットワーク（Ｐｕｂｌｉｃ  Ｌａｎｄ  Ｍｏｂｉｌｅ  Ｎｅｔｗｏｒｋ：ＰＬＭＮ）における端末デバイス等の次世代通信システムであってもよい。
【００４３】
限定ではなく例として、本発明の実施例では、この端末デバイスはウェアラブルデバイスであってもよい。ウェアラブルデバイスは、ウェアラブルスマートデバイスとも呼ばれ、ウェアラブル技術を使用して日常のウェアをスマート化設計して開発されるメガネ、手袋、腕時計、衣類、及び靴等のウェアラブルデバイスの総称である。ウェアラブルデバイスは、直接身に着けるか、又はユーザの衣類又はアクセサリーに統合される携帯型デバイスである。ウェアラブルデバイスは、ハードウェアデバイスであるだけでなく、さらには、ソフトウェアサポート、データインタラクション、及びクラウドインタラクションを通じて強力な機能を実現する。一般的なウェアラブルスマートデバイスには、フル機能、大型、スマートフォンに依存することなく完全又は部分的な機能を実現できる、スマートウォッチ又はスマートグラス等、及び特定の種類のアプリケーション機能のみに着目して、スマートフォンのような他のデバイスと組み合わせて使用する必要のある、様々なサイン監視用のスマートブレスレット、スマートジュエリー等が含まれる。
【００４４】
ネットワークデバイスは、モバイルデバイスと通信するためのデバイスであってもよく、ネットワークデバイスは、ＷＬＡＮにおけるアクセスポイント（Ａｃｃｅｓｓ  Ｐｏｉｎｔ：ＡＰ）、ＧＳＭ又はＣＤＭＡにおける基地局（Ｂａｓｅ  Ｔｒａｎｓｃｅｉｖｅｒ  Ｓｔａｔｉｏｎ：ＢＴＳ）であってもよく、ＷＣＤＭＡにおける基地局（ＮｏｄｅＢ：ＮＢ）であってもよく、また、ＬＴＥにおける進化型基地局（Ｅｖｏｌｕｔｉｏｎａｌ  Ｎｏｄｅ  Ｂ：ｅＮＢ又はｅＮｏｄｅＢ）、又は中継局又はアクセスポイント、又は車載デバイス、ウェアラブルデバイス、及びＮＲネットワークにおけるネットワークデバイス（ｇＮＢ）又は将来進化のＰＬＭＮネットワークにおけるネットワークデバイス等であってもよい。
【００４５】
本発明の実施例では、ネットワークデバイスは、セルにサービスを提供し、端末デバイスは、このセルに使用される伝送リソース（例えば、周波数領域リソース、又は、スペクトルリソース）を介してネットワークデバイスと通信し、このセルは、ネットワークデバイス（例えば、基地局）に対応するセルであってもよく、セルは、マクロ基地局に属してもよく、スモールセル（Ｓｍａｌｌ  ｃｅｌｌ）に対応する基地局に属してもよく、ここでのスモールセルには、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等が含まれてもよく、これらのスモールセルは、カバレッジが小さく、送信電力が低いという特徴があり、高速データ伝送サービスの提供に適している。
【００４６】
選択的に、本発明の実施例に係るダウンリンク物理チャネルには、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）、拡張物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ：ＥＰＤＣＣＨ）、物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）、物理ＨＡＲＱ指示チャネル（Ｐｈｙｓｉｃａｌ  Ｈｙｂｒｉｄ  ＡＲＱ  Ｉｎｄｉｃａｔｏｒ  Ｃｈａｎｎｅｌ：ＰＨＩＣＨ）、物理マルチキャストチャネル（Ｐｈｙｓｉｃａｌ  Ｍｕｌｔｉｃａｓｔ  Ｃｈａｎｎｅｌ：ＰＭＣＨ）、物理ブロードキャストチャネル（Ｐｈｙｓｉｃａｌ  Ｂｒｏａｄｃａｓｔ  Ｃｈａｎｎｅｌ：ＰＢＣＨ）等が含まれてもよい。ダウンリンク参照信号には、ダウンリンク同期信号（Ｓｙｎｃｈｒｏｎｉｚａｔｉｏｎ  Ｓｉｇｎａｌ）、位相追跡参照信号（Ｐｈａｓｅ  Ｔｒａｃｋｉｎｇ  Ｒｅｆｅｒｅｎｃｅ  Ｓｉｇｎａｌ：ＰＴ−ＲＳ）、ダウンリンク復調参照信号（ＤｅＭｏｄｕｌａｔｉｏｎ  Ｒｅｆｅｒｅｎｃｅ  Ｓｉｇｎａｌ：ＤＭＲＳ）、チャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ：ＣＳＩ−ＲＳ）等が含まれてもよく、ここで、ダウンリンク同期信号は、ネットワークへの通信デバイスのアクセス及び無線リソースの管理測定に使用されることができ、ダウンリンクＤＭＲＳは、ダウンリンクチャネルの復調に使用されることができ、ＣＳＩ−ＲＳは、ダウンリンクチャネルの測定、ダウンリンク時間‐周波数同期又は位相追跡に使用されることができ、ＰＴ−ＲＳも、ダウンリンクチャネルの測定、ダウンリンク時間‐周波数同期又は位相追跡に使用されることができる。本発明の実施例には、上記と同じ名称及び異なる機能のダウンリンク物理チャネル又はダウンリンク参照信号が含まれてもよく、上記と異なる名称及び同じ機能のダウンリンク物理チャネル又はダウンリンク参照信号が含まれてもよく、本発明はこれを限定しないことを理解されたい。
【００４７】
選択的に、本発明の実施例に係るアップリンク物理チャネルには、物理ランダムアクセスチャネル（ＰＲＡＣＨ：Ｐｈｙｓｉｃａｌ  Ｒａｎｄｏｍ  Ａｃｃｅｓｓ  ＣＨａｎｎｅｌ）、物理アップリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）、物理アップリンク共有チャネル（ＰＵＳＣＨ：Ｐｈｙｓｉｃａｌ  Ｕｐｌｉｎｋ  Ｓｈａｒｅｄ  ＣＨａｎｎｅｌ）等が含まれてもよい。アップリンク参照信号には、アップリンク復調参照信号（ＤｅＭｏｄｕｌａｔｉｏｎ  Ｒｅｆｅｒｅｎｃｅ  Ｓｉｇｎａｌ：ＤＭＲＳ）、サウンディング参照信号（Ｓｏｕｎｄｉｎｇ  Ｒｅｆｅｒｅｎｃｅ  Ｓｉｇｎａｌ：ＳＲＳ）、位相追跡参照信号（Ｐｈａｓｅ  Ｔｒａｃｋｉｎｇ  Ｒｅｆｅｒｅｎｃｅ  Ｓｉｇｎａｌ：ＰＴ−ＲＳ）等が含まれてもよい。ここで、アップリンクＤＭＲＳは、アップリンクチャネルの復調に使用されることができ、ＳＲＳは、アップリンクチャネルの測定、アップリンク時間‐周波数同期又は位相追跡に使用されることができ、ＰＴ−ＲＳも、アップリンクチャネルの測定、アップリンク時間‐周波数同期又は位相追跡に使用されることができる。本発明の実施例には、上記と同じ名称及び異なる機能のアップリンク物理チャネル又はアップリンク参照信号が含まれてもよく、上記と異なる名称及び同じ機能のアップリンク物理チャネル又はアップリンク基準信号が含まれてもよく、本発明はこれを限定しないことを理解されたい。
【００４８】
以下、図１〜図５を参照しながら、本発明の実施例に係る情報を伝送する方法を説明し、図１〜図５は、本発明の実施例に係る情報を伝送する方法の概略フローチャートであり、この方法の詳しい通信ステップ又は動作を示しているが、これらのステップ又は動作は例にすぎず、本発明の実施例は他の動作又は図１〜図５における様々な動作の変形を実行することもできることを理解されたい。
【００４９】
なお、図１〜図５における各ステップはそれぞれ、図１〜図５に提示されたものとは異なる順序で実行されてもよく、図１〜図５における全ての動作を実行する必要のない可能性もある。
【００５０】
図１は、本発明の実施例に係る情報を伝送する方法１００の概略フローチャートであり、図１に示すように、この方法１００は、
第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するＳ１１０と、
前記第１の時間領域リソースが利用可能である場合、前記第１のデバイスが前記第１の時間領域リソースを介して前記第１の情報を送信するＳ１２０と、を含んでもよい。
【００５１】
選択的に、この第１のデバイスは、ネットワークデバイス又は端末デバイスであってもよい。したがって、本発明の実施例は、アンライセンススペクトル上のネットワークデバイス又は端末デバイスのチャネルアクセスプロセスに適用することができる。
【００５２】
本発明の実施例では、ネットワークデバイス又は端末デバイスのチャネルアクセスプロセスは、チャネルがアイドル状態にあるか否かを検出することによってこのチャネルが利用可能であるか否かを判断するステップを含んでもよい。
【００５３】
例えば、ネットワークデバイス及び／又は端末デバイスは、ある帯域幅（例えば、２０ＭＨｚ）を有する周波数領域リソースが現在アイドル状態にあるか否か、又は、この周波数領域リソースが他のデバイスにより使用されているか否かを検出することができる。
【００５４】
この周波数領域リソースがアイドル状態にあるか、又は、この周波数領域リソースが他のデバイスにより使用されていない（即ち、チャネルが空いている）場合、ネットワークデバイス及び／又は端末デバイスは、この周波数領域リソースを使用して通信することができ、例えば、アップリンク伝送又はダウンリンク伝送等を行う。
【００５５】
この周波数領域リソースがアイドル状態にないか、又は、この周波数領域リソースが他のデバイスにより使用されている（即ち、チャネルが占有されている）場合、ネットワークデバイス及び／又は端末デバイスはこの周波数領域リソースを使用することができない。
【００５６】
具体的に、第１のデバイスは、第１のビーム及び第１のエネルギー検出閾値を使用して、アンライセンスキャリア上の第１のチャネルに対してチャネル検出を行うことができ、ここで、前記第１のエネルギー検出閾値は、第１の送信電力に対応するエネルギー検出閾値である。選択的に、チャネル検出とは、第１のデバイスが当該第１のチャネル上の信号エネルギーを一定期間収集し、エネルギー値を当該第１のエネルギー検出閾値と比較することを意味することができ、当該エネルギー値が当該第１のエネルギー検出閾値以上である場合、チャネルが占有されていると見なすことができ、これにより、第１の情報を送信するための第１の時間領域リソースが利用不可能であることを決定することができ、又は当該信号エネルギー値が当該第１のエネルギー検出閾値より小さい場合、チャネルがアイドルであると見なすことができ、これにより、当該第１の時間領域リソースが利用可能であることを決定することができ、さらに、当該第１の時間領域リソース上で当該第１の情報を送信することができる。
【００５７】
選択的に、当該第１のエネルギー検出閾値の大きさは、信号伝送に使用される当該第１のデバイスの送信電力の大きさに従って決定されることができ、例えば、送信電力が小さいほど、対応するエネルギー検出閾値は大きくなることができ、送信電力が大きいほど、対応するエネルギー検出閾値は小さくなる。
【００５８】
本発明の実施例において、１つの信号を受信するために使用されるビーム（又は受信ビームという）は、１つの信号を受信するために使用される空間領域受信フィルター（Ｓｐａｔｉａｌ  ｄｏｍａｉｎ  ｒｅｃｅｐｔｉｏｎ  ｆｉｌｔｅｒ）として理解されることができ、それに対応して、１つの信号を送信するために使用されるビーム（又は送信ビームという）は、１つの信号を送信するために使用される空間領域送信フィルター（Ｓｐａｔｉａｌ  ｄｏｍａｉｎ  ｔｒａｎｓｍｉｓｓｉｏｎ  ｆｉｌｔｅｒ）として理解されることができることを理解されたい。同じ空間領域送信フィルターを採用して送信される２つの信号の場合、これら２つの信号は空間受信パラメーターに関して準コロケーション（Ｑｕａｓｉ−Ｃｏ−Ｌｏｃａｔｅｄ：ＱＣＬ）であると言える。
【００５９】
選択的に、本発明の実施例では、チャネル検出に使用される第１のビーム（即ち、受信ビームの１つ以上）と信号送信に使用される第２のビーム（即ち、送信ビームの１つ以上）は、同じビームであってもよく、又は異なるビームであってもよく、本発明の実施例はこれを限定しない。チャネル検出に使用される第１のビームと信号送信に使用される第２のビームが異なるビームである場合、当該第１のビームの空間領域カバレッジと当該第２のビームの空間領域カバレッジは少なくとも部分的に重なることを理解されたい。
【００６０】
選択的に、本発明の実施例では、前記第１のビームに対応する方向は、全方向であることができ、即ち、第１のデバイスは、全方向性チャネル検出を行うことができ、それから指向性データ伝送を行うことができる。
【００６１】
本発明の実施例では、ビームは、データ領域のプリコーディング処理を含んでもよく、又はアナログ領域のプリコーディング処理を含んでもよく、又はデータ領域及びアナログ領域のプリコーディング処理を含んでもよく、本発明の実施例はこれを限定しないことを理解されたい。
【００６２】
従来の通信システムでは、送受信ビーム（ｂｅａｍ）が完全には一致しない場合があり、例えば、チャネル検出を行うとき、通信デバイスは粗い方向の受信プリコーディングを使用することができるが、信号を送信するとき、通信デバイスは細かい方向の送信プリコーディングを使用してデータ伝送のビームゲイン（ｂｅａｍｆｏｒｍｉｎｇ  ｇａｉｎ）を向上することができ、また例えば、通信デバイスは全方向性受信方式を使用してチャネル検出を行うことができるが、ビームゲインのある方式を使用して信号送信等を行うため、送受信ビームが完全には一致しなくなる場合がある。
【００６３】
ネットワークデバイスと端末デバイスの間のダウンリンク伝送を例として、図２に示すように、ｇＮＢ１はＵＥ１にサービスを提供する前に、送信電力Ｐに対応するエネルギー検出閾値に基づいて、ビーム方向１を使用してＵＥ１の方向の干渉に対してチャネル検出を行うことができ、チャネルがアイドルであることを発見した場合、ｇＮＢ１は送信電力Ｐ及びビーム方向２を使用して、ＵＥ１へのデータ伝送を行うことができる。ビーム方向２のｂｅａｍｆｏｒｍｉｎｇ  ｇａｉｎ（即ち、ビームゲイン）がビーム方向１のｂｅａｍｆｏｒｍｉｎｇ  ｇａｉｎより大きい場合は、ｇＮＢ１のデータ伝送範囲がｇＮＢ１のチャネル検出範囲を超えるため、ｇＮＢ１からＵＥ１へのデータ伝送はＵＥ１周囲の通信リンク、例えば、ｇＮＢ２とＵＥ２の間の通信リンクに影響を与えてしまう。
【００６４】
上記の技術的問題に基づき、選択的に、一実施例として、Ｓ１２０は具体的に、
前記第１のデバイスが、第２の送信電力を使用して、前記第１の時間領域リソースを介して前記第１の情報を送信するステップを含んでもよく、ここで、前記第２の送信電力の大きさは、前記第１の送信電力の大きさとは異なり、前記第１の送信電力は、前記第１のエネルギー検出閾値を決定するために使用される。
【００６５】
上記の説明から分かるように、チャネル検出範囲がデータ伝送範囲より小さい場合、データ伝送による他の通信リンクへの干渉を引き起こす可能性があり、同時に、データ伝送範囲がチャネル検出範囲を超えているため、一部のチャネル上のリソースは利用できない可能性があり、したがって、このリソースでのデータ伝送は、データ伝送の失敗を引き起こし、データ伝送の信頼性に影響を与える可能性がある。
【００６６】
したがって、本発明の実施例では、第１のデバイスは、信号送信に使用される第２の送信電力及びチャネル検出に使用される第１の送信電力を制御することによって、チャネル検出範囲をデータ伝送範囲以上にすることができ、これにより、データ伝送による他の通信リンクへの干渉を回避するのに有利であると同時に、データの効果的な伝送を確保することもできる。
【００６７】
この実施例では、第１のデバイスが前記第２の送信電力を使用して前記第１の情報を送信するために使用される第２のビームと、前記第１の送信電力に対応するエネルギー検出閾値を使用してチャネル検出を行うために使用される第１のビームは、同じであってもよく、又は異なっていてもよく、本発明の実施例はこれを限定せず、第２の送信電力と前記第１の送信電力との関係を制御することによって、チャネル検出範囲をデータ伝送範囲以上にすることができればよいことを理解されたい。
【００６８】
なお、本発明の実施例では、１つのビームに対応する空間領域カバレッジは、このビームの対応する方向、カバレッジ角度、及び信号振幅（即ち、ビームゲイン）により共同で決定されてもよい。信号受信に使用される第１のビームに対応する空間領域カバレッジが信号送信に使用される第２のビームに対応する空間領域カバレッジと完全に同じである場合、当該第１のビームと当該第２のビームは同じであると見なすことができ、そうでない場合、当該第１のビームと当該第２のビームは異なると見なすことができる。ここで、第１のビームに対応する空間領域カバレッジが第２のビームに対応する空間領域カバレッジと完全に同じであるとは、前記第１のビームの対応する方向、カバレッジ角度、及びビームゲインが前記第２のビームの対応する方向、カバレッジ角度、及びビームゲインと同じであることを意味することができる。選択的に、１つのビームのカバレッジ角度が小さいほど、このビームに対応するビームゲインは大きくなり、逆に、１つのビームのカバレッジ角度が大きいほど、このビームに対応するビームゲインは小さくなる。
【００６９】
図２に示す技術的問題に基づき、別の実施例として、Ｓ１２０は具体的に、
前記第１のデバイスが、前記第１のビームと異なる第２のビームを使用して、前記第１の時間領域リソースを介して前記第１の情報を送信するステップを含んでもよい。
【００７０】
ここで、第２のビームと第１のビームが異なるとは、第１のビームと第２のビームのカバレッジ角度及び信号振幅の少なくとも１つが異なり、第１のビームの対応する方向と第２のビームの対応する方向が少なくとも部分的に重なっていることを意味することができる。第１のデバイスは、チャネル検出に使用される第１のビームとは異なる第２のビームを使用してデータ伝送を行い、これにより、前記第１のデバイスは、前記第１のビーム及び第２のビームの空間領域カバレッジを制御することによって（例えば、エネルギー検出閾値、信号送信電力、又は第１のビーム及び第２のビームの選択等を制御することによって）、チャネル検出範囲が少なくともデータ伝送範囲をカバーするようにすることができ、これにより、データ伝送による他の通信リンクへの干渉を回避することができる。
【００７１】
この実施例では、第１のデバイスが前記第１の情報を送信するために使用される第２の送信電力と、前記第１のデバイスがチャネル検出を行うために使用されるエネルギー検出閾値に対応する第１の送信電力は、等しくてもよく、又は等しくなくてもよく、本発明の実施例はこれを限定しないことを理解されたい。即ち、この実施例では、前記第１のデバイスが前記第１のビームの空間領域カバレッジ及び前記第２のビームの空間領域カバレッジを制御することによって、チャネル検出範囲をデータ伝送範囲以上にすることができればよい。
【００７２】
選択的に、前記第１のビームは第１のビーム集合内のビームであってもよく、前記第２のビームは第２のビーム集合内のビームであってもよく、ここで、前記第１のビーム集合はチャネル検出（又は信号受信）に使用されるビームの集合であってもよく、前記第２のビーム集合は信号送信に使用されるビームの集合であってもよく、前記第１のビーム集合と前記第２のビーム集合は少なくとも１つのビームが異なる。例えば、第１のビーム集合と第２のビーム集合に含まれるビームの数は異なり、第１のビーム集合はＮ個のビームを含み、Ｎは正の整数であり、このＮ個のビームは異なる方向に対応し、第２のビーム集合はＭ個のビームを含み、Ｍは正の整数であり、このＭ個のビームも異なる方向に対応し、第１のビーム集合内のＮ個のビームと第２のビーム集合内のＭ個のビームは同じ方向及びカバレッジ角度に対応する。Ｍ＝２＊Ｎと仮定すると、第１のビーム集合内の１つのビームに対応する方向及びカバレッジ角度は、第２のビーム集合内の２つのビームの組み合わせに対応する方向及びカバレッジ角度と同じであり、この場合、選択的に、第１のビーム集合内の１つのビームのビームゲインは、第２のビーム集合内の１つのビームのビームゲインより小さい。
【００７３】
選択的に、幾つかの実施例では、前記第１のデバイスはまた、ビームの情報及び送信電力に関連しながら、チャネル検出範囲が少なくともデータ伝送範囲をカバーするように制御することができる。
【００７４】
例えば、前記第１のビーム及び前記第２のビームの情報（例えば、対応する方向、カバレッジ角度、信号振幅又はビームゲイン）が決定された場合、第１のデバイスは、前記第１の送信電力及び前記第２の送信電力の大きさを制御することによってチャネル検出範囲及びデータ伝送範囲の大きさを制御することができる。
【００７５】
本発明の実施例におけるデータ送信は、物理チャネルの送信又は参照信号の送信であってもよく、ここで物理チャネルはアップリンク物理チャネル又はダウンリンク物理チャネルを含み、参照信号はアップリンク参照信号又はダウンリンク参照信号を含み、本発明はこれを限定しないことを理解されたい。
【００７６】
選択的に、本発明の実施例では、前記第１のデバイスは、前記第１の送信電力、前記第２の送信電力、前記第１のビームの情報、及び前記第２のビームの情報を自体で決定することができ、例えば、前記第１のデバイスは、まず前記第１の送信電力を決定し、それから前記第１の送信電力に従って前記第２の送信電力を決定することができる。又は、前記第１のデバイスは、まず前記第２の送信電力を決定し、それから前記第２の送信電力に従って前記第１の送信電力を決定することができる。又は、前記第１のデバイスは、前記第１の送信電力及び前記第２の送信電力を同時に決定することができる。
【００７７】
選択的に、本発明の実施例では、第１のビーム、第２のビーム、第１の送信電力、及び第２の送信電力について、第１のデバイスは、その中の任意の３つのパラメーターを介して、第４のパラメーターを決定することができ、本発明はこれを制限しない。例えば、第１のデバイスは、第１のビーム、第２のビーム、及び第１の送信電力をまず決定し、それからこれら３つのパラメーターに従ってデータ伝送に使用される第２の送信電力を決定することができる。また例えば、第１のデバイスは、第１のビーム、第２のビーム、及び第２の送信電力をまず決定し、それからこれら３つのパラメーターに従って第１の送信電力を決定することができ、これにより、チャネル検出に使用される第１の送信電力に対応するエネルギー検出閾値を決定する。
【００７８】
ケース１：前記第１のビームの対応する方向及びカバレッジ角度が前記第２のビームの対応する方向及びカバレッジ角度より大きく、且つ前記第１のビームの信号振幅が前記第２のビームの信号振幅より小さく、又は、第１のビームのビームゲインが第２のビームのビームゲインより小さく、例えば、図２に示すシナリオである。
【００７９】
この場合、前記第１のデバイスは、第１のビーム及び第１の送信電力に対応する第１のエネルギー検出閾値を使用してチャネル検出を行い、チャネル検出に成功（即ち、チャネル検出結果がアイドルである）した後、第１の送信電力より小さい第２の送信電力を使用してデータ送信を行うことができる。
【００８０】
選択的に、前記第１のデバイスは、第１の送信電力Ｐ１と第２の送信電力Ｐ２との差が特定の調整量Ｘ以上になるように制御することができ、これにより、データ伝送範囲をチャネル検出範囲に含めることができ、即ち、チャネル検出範囲は少なくともデータ伝送範囲をカバーし、ここで、前記調整量Ｘは、前記第２のビームのビームゲインの大きさと前記第１のビームのビームゲインの大きさとの差に応じて決定される。
【００８１】
選択的に、Ｘは、前記第１のビームのビームゲインと前記第２のビームのビームゲインとの差であってもよく、例えば、前記Ｘは、第１のビームのビームゲインと前記第２のビームのビームゲインとの電力差であってもよく、又は、第１のビームのビームゲインと前記第２のビームのビームゲインとのエネルギー差であってもよく、又は、第１のビームのビームゲインと前記第２のビームのビームゲインとの信号対雑音比の差であってもよい。
【００８２】
選択的に、本発明の実施例では、前記第１のビームのビームゲインは、第１のビームに対応する第１のプリコーディングに基づいて得られる第１のプリコーディングゲインとして理解されることもでき、前記第２のビームのビームゲインは、第２のビームに対応する第２のプリコーディングに基づいて得られる第２のプリコーディングゲインとして理解されることもできる。
【００８３】
それに対応して、前記Ｘは、第１のプリコーディングゲインと第２のプリコーディングゲインとの電力差であってもよく、又は、第１のプリコーディングゲインと前記第２のプリコーディングゲインとのエネルギー差であってもよく、又は、第１のプリコーディングゲインと前記第２のプリコーディングゲインとの信号対雑音比の差であってもよい。
【００８４】
例えば、第１のデバイスが第２のビーム及び第２の送信電力を使用してデータ送信を行い、及び第１のビームを使用してチャネル検出を行う予定であると仮定し、ここで、第１のビームの対応する方向及びカバレッジ角度は、第２のビームの対応する方向及びカバレッジ角度を含み（又は、カバーする）、第１のビームのビームゲインは３ｄＢ、第２のビームのビームゲインは６ｄＢ、第２の送信電力Ｐ２は１７ｄＢｍであり、この場合、第１のデバイスは、第１のビームのビームゲインと第２のビームのビームゲインとの差Ｘ＝６ｄＢ−３ｄＢ＝３ｄＢを決定し、対応的に、第１の送信電力Ｐ１は、第２の送信電力Ｐ２とＸの和以上である必要があり、即ち、Ｐ１は、１７＋３＝２０ｄＢｍ以上である必要があり、即ち、第１のデバイスは、２０ｄＢｍ以上の第１の送信電力に従って第１のエネルギー検出閾値を決定する必要がある。
【００８５】
したがって、チャネル検出に使用される第１のビームの対応する方向及びカバレッジ角度がデータ伝送に使用される第２のビームの対応する方向及びカバレッジ角度より大きい場合、第１のビームのビームゲインが第２のビームのビームゲインより小さければ、第１のデバイスはより大きな第１の送信電力を使用してチャネル検出を行うことができ、又は第１のデバイスはより小さな第２の送信電力を使用してデータ伝送を行うことができ、これにより、データ伝送範囲をチャネル検出範囲以下にし、さらに送信ビームと受信ビームの不一致による他の通信リンクへの干渉を低減することができる。
【００８６】
ケース２：前記第１のビームの対応する方向及びカバレッジ角度が前記第２のビームの対応する方向及びカバレッジ角度より大きく、且つ前記第１のビームの信号振幅が前記第２のビームの信号振幅より大きく、又は、第１のビームのビームゲインが第２のビームのビームゲインより大きく、例えば、図３に示すシナリオである。
【００８７】
この場合、第１のビームは複数のビームを含むことができることを理解されたい。例えば、図３において第１のビームは３個のビームを含み、第２のビームは１つのビームを含む。
【００８８】
この場合、選択的に、前記第１のデバイスは、第１のビーム及び第１の送信電力に対応する第１のエネルギー検出閾値を使用してチャネル検出を行い、チャネル検出に成功（即ち、チャネル検出結果がアイドルである）した後、第１の送信電力に等しい第２の送信電力を使用してデータ送信を行うことができる。
【００８９】
選択的に、前記第１のデバイスは、第１のビーム及び第１の送信電力に対応する第１のエネルギー検出閾値を使用してチャネル検出を行い、チャネル検出に成功（即ち、チャネル検出結果がアイドルである）した後、第１の送信電力より大きい第２の送信電力を使用してデータ送信を行うことができる。
【００９０】
選択的に、前記第１のデバイスは、第２の送信電力Ｐ２と第１の送信電力Ｐ１との差が特定の調整量Ｘ以下になるように制御することができ、これにより、データ伝送範囲をチャネル検出範囲に含めることができ、即ち、チャネル検出範囲が少なくともデータ伝送範囲をカバーし、ここで、前記調整量Ｘは、前記第１のビームのビームゲインの大きさと前記第２のビームのビームゲインの大きさとの差に応じて決定される。
【００９１】
選択的に、Ｘは、前記第１のビームのビームゲインと前記第２のビームのビームゲインとの差であってもよく、例えば、前記Ｘは、第１のビームのビームゲインと前記第２のビームのビームゲインとの電力差であってもよく、又は、第１のビームのビームゲインと前記第２のビームのビームゲインとのエネルギー差であってもよく、又は、第１のビームのビームゲインと前記第２のビームのビームゲインとの信号対雑音比の差であってもよい。
【００９２】
選択的に、本発明の実施例では、前記第１のビームのビームゲインは、第１のビームに対応する第１のプリコーディングに基づいて得られる第１のプリコーディングゲインとして理解されることもでき、前記第２のビームのビームゲインは、第２のビームに対応する第２のプリコーディングに基づいて得られる第２のプリコーディングゲインとして理解されることもできる。
【００９３】
したがって、前記Ｘは、第１のプリコーディングゲインと第２のプリコーディングゲインとの電力差であってもよく、又は、前記Ｘは、第１のプリコーディングゲインと前記第２のプリコーディングゲインとのエネルギー差であってもよく、又は、前記Ｘは、第１のプリコーディングゲインと前記第２のプリコーディングゲインとの信号対雑音比の差であってもよい。
【００９４】
例えば、第１のデバイスが第２のビーム及び第２の送信電力を使用してデータ送信を行い、及び第１のビームを使用してチャネル検出を行う予定であると仮定し、ここで、第１のビームは２つのビームを含み、第１のビームに含まれる２つのビームの組み合わせに対応する方向及びカバレッジ角度は、第２のビームの対応する方向及びカバレッジ角度を含み（又は、カバーする）、第１のビームに含まれる２つのビームのそれぞれのビームゲインは６ｄＢ、第２のビームのビームゲインは３ｄＢ、第２の送信電力Ｐ２は２０ｄＢｍであり、この場合、第１のデバイスは、第１のビームのビームゲインと第２のビームのビームゲインとの差Ｘ＝６ｄＢ−３ｄＢ＝３ｄＢを決定し、したがって、第１の送信電力Ｐ１は、第２の送信電力Ｐ２とＸとの差以上である必要があり、即ち、Ｐ１は、２０−３＝１７ｄＢｍ以上である必要があり、即ち、第１のデバイスは、１７ｄＢｍ以上の第１の送信電力に従って第１のエネルギー検出閾値を決定する必要がある。
【００９５】
したがって、チャネル検出に使用される第１のビームの対応する方向及びカバレッジ角度がデータ伝送に使用される第２のビームの対応する方向及びカバレッジ角度より大きい場合、第１のビームのビームゲインが第２のビームのビームゲインより大きければ、第１のデバイスはより小さな第１の送信電力を使用してチャネル検出を行うことができ、又は第１のデバイスはより大きな第２の送信電力を使用してデータ伝送を行うことができ、これにより、データ伝送範囲をチャネル検出範囲以下にし、送信ビームと受信ビームの不一致による他の通信リンクへの干渉を低減する上でデータ伝送の送信電力を増加させ、データ伝送の信頼性を確保することができる。
【００９６】
選択的に、幾つかの実施例では、前記方法１００は、
前記第１のデバイスが、第２のデバイスにより送信された、前記第２のビームの情報を指示するための第１の指示情報を受信するステップと、
前記第１のデバイスが、前記第２のビームの情報に従って前記第１のビームの情報を決定するステップと、をさらに含んでもよい。
【００９７】
選択的に、前記第１のデバイスは端末デバイスであり、前記第２のデバイスはネットワークデバイスであってもよく、又は他の端末デバイスであってよく、本発明の実施例はこれを限定しない。即ち、第１のデバイスが端末デバイスである場合、信号送信に使用される第２のビームの情報は、第２のデバイス（例えば、ネットワークデバイス）により指示されることができる。
【００９８】
選択的に、前記第１のデバイスはネットワークデバイスであり、前記第２のデバイスは端末デバイスである。即ち、第１のデバイスがネットワークデバイスである場合、信号送信に使用される第２のビームの情報は、端末デバイスにより測定及び報告されることができる。
【００９９】
選択的に、前記第２のビームの情報は、前記第２のビームのビーム識別子、又は前記第２のビームに対応する第２のプリコーディングの情報、又は前記第２のビームとの間で準コロケーションＱＣＬ関係を満たす参照信号の信号インデックスであってもよく、さらに、前記第１のデバイスは、前記第２のビームの情報に従ってチャネル検出に使用される第１のビームの情報を決定することができ、例えば、前記第１のデバイスは、前記第１のビームの空間領域カバレッジが前記第２のビームの空間領域カバレッジを含むこと等を決定する。
【０１００】
選択的に、幾つかの実施例では、前記方法１００は、
前記第１のデバイスが、第２のデバイスにより送信された、前記第１のビームの情報を指示するための第２の指示情報を受信するステップをさらに含んでもよい。
【０１０１】
選択的に、前記第１のデバイスは端末デバイスであり、前記第２のデバイスはネットワークデバイスであってもよく、又は他の端末デバイスであってもよく、本発明の実施例はこれを限定しない。即ち、第２のデバイス（例えば、ネットワークデバイス）は、チャネル検出に使用される第１のビームの情報を第１のデバイス（例えば、端末デバイス）に指示することができる。
【０１０２】
選択的に、前記第１のデバイスはネットワークデバイスであり、前記第２のデバイスは端末デバイスである。即ち、第１のデバイスがネットワークデバイスである場合、チャネル検出に使用される第１のビームの情報は、端末デバイスにより測定及び報告されることができる。
【０１０３】
選択的に、前記第１のビームの情報は、前記第１のビームのビーム識別子、又は前記第１のビームに対応する第１のプリコーディングの情報、又は前記第１のビームとの間で準コロケーションＱＣＬ関係を満たす参照信号の信号インデックスであってもよい。
【０１０４】
要約すると、前記第２のビームの情報は、第２のデバイスにより指示されることができ、前記第１のビームの情報は、第２のデバイスにより指示されてもよく、又は第２のビームの情報に従って第１のデバイスにより決定されてもよい。
【０１０５】
選択的に、幾つかの実施例では、前記第１のデバイスが端末デバイスである場合、前記方法１００は、
前記第１のデバイスが、第２のデバイスにより送信された、前記第２の送信電力の情報を決定するための第３の指示情報を受信するステップと、
前記第１のデバイスが、前記第２の送信電力の情報に従って前記第１の送信電力を決定するステップと、をさらに含む。
【０１０６】
選択的に、前記第２のデバイスはネットワークデバイスであってもよく、又は他の端末デバイスであってもよく、本発明の実施例はこれを限定しない。
【０１０７】
即ち、第２のデバイスは、第１のデバイスによる信号送信に使用される第２の送信電力の情報を指示することができ、さらに、前記第１のデバイスは、前記第２の送信電力の情報に従ってチャネル検出に使用される第１の送信電力の情報を決定することができる。
【０１０８】
選択的に、前記第１のデバイスは、前記第２の送信電力の情報に従って、前記第２のビームの情報又は前記第１のビームの情報に関連しながら、チャネル検出に使用される第１の送信電力を決定することができる。例えば、前記第１のデバイスは、前記第１のビームと前記第２のビームのビームゲインの差に前記第２の送信電力を加えた結果を、前記第１の送信電力の大きさとして決定することができ、具体的なプロセスについては、前述の実施例における関連説明を参照することができ、ここでは繰り返さない。
【０１０９】
本発明の実施例では、前記第１の指示情報、前記第２の指示情報、及び前記第３の指示情報は、同じ指示情報であってもよく、異なる指示情報であってもよく、本発明の実施例はこれを限定しないことを理解されたい。
【０１１０】
選択的に、前記第１の指示情報、前記第２の指示情報、又は前記第３の指示情報は、既存のメッセージ又はシグナリング、例えば、物理層シグナリング又は上位層シグナリング等で運ばれてもよく、又は、新しいメッセージ又はシグナリングを追加して上記指示情報を運ぶようにしてもよく、本発明の実施例はこれを限定しない。
【０１１１】
図４は、本発明の別の実施例に係る情報を伝送する方法４００の概略フローチャートであり、図４に示すように、この方法４００は、
第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するＳ４１０と、
前記第１の時間領域リソースが利用可能である場合、第１のビームのカバレッジ角度が信号送信に使用される第２のビームのカバレッジ角度より小さければ、前記第１のデバイスは前記第１の時間領域リソースを介して前記第１の情報を送信しないＳ４２０と、を含み、
ここで、前記第１のビームに対応する方向と前記第２のビームに対応する方向は、部分的に重なっている。
【０１１２】
この実施例では、チャネル検出に使用される第１のビームのカバレッジ角度は、信号送信に使用される第２のビームのカバレッジ角度より小さく、即ち、チャネル検出範囲はデータ伝送範囲より小さく、又は、チャネル検出範囲はデータ伝送範囲を完全にはカバーしておらず、例えば、図５に示すシナリオである。この場合、第１の時間領域リソースが利用可能であっても、前記第１のデバイスはこの第１の時間領域リソースを使用してデータ伝送を行わないことができ、これにより、アンライセンススペクトル上の他の通信リンクへの干渉を回避することができる。
【０１１３】
選択的に、この実施例では、前記第１のデバイスは、まず第１のビームのカバレッジ角度及び第２のビームのカバレッジ角度の大きさを判断し、カバレッジ角度の大きさの関係に従って、この第１の時間領域リソース上でデータ伝送を行うか否かを決定することができる。例えば、第１のビームのカバレッジ角度が前記第２のビームのカバレッジ角度より小さい場合、前記第１のデバイスは、チャネル検出を行わずに前記第１のチャネルでデータ伝送を行わないことを直接決定することができ、これにより、通信リソースの浪費を回避し、又は前記第１のビームのカバレッジ角度が前記第２のビームのカバレッジ角度より大きい場合、前記第１のデバイスは、前記第１のチャネルに対してチャネル検出を行うことで、後続のデータ伝送を行うか否かを決定することができ、具体的な実現プロセスについては、前述の実施例の関連する説明を参照することができる。
【０１１４】
選択的に、幾つかの実施例では、前記第１のビームは第１のビーム集合内のビームであり、前記第２のビームは第２のビーム集合内のビームである。
【０１１５】
選択的に、幾つかの実施例では、前記方法４００は、
前記第１のデバイスが、第２のデバイスにより送信された、前記第２のビームの情報を指示するための第１の指示情報を受信するステップと、
前記第１のデバイスが、前記第２のビームの情報に従って前記第１のビームの情報を決定するステップと、をさらに含む。
【０１１６】
選択的に、幾つかの実施例では、前記方法４００は、
前記第１のデバイスが、第２のデバイスにより送信された、前記第１のビームの情報を指示するための第２の指示情報を受信するステップをさらに含む。
【０１１７】
選択的に、幾つかの実施例では、前記第１のデバイスはネットワークデバイスである。
【０１１８】
選択的に、幾つかの実施例では、前記第１のデバイスは端末デバイスである。
【０１１９】
以上、図１〜図５を参照しながら、本発明の方法の実施例を詳細に説明しており、以下は、図６〜図９を参照しながら、本発明の装置の実施例を詳細に説明し、装置の実施例及び方法の実施例は互いに対応し、同様の説明は方法の実施例を参照することができることを理解されたい。
【０１２０】
図６は、本発明の実施例に係る情報を伝送するデバイス５００の概略ブロック図を示す。図６に示すように、このデバイス５００は、
第１のビーム及び第１のエネルギー検出閾値を使用して、アンライセンスキャリア上の第１のチャネルに対してチャネル検出を行うことで、第１の情報を送信するために使用される第１の時間領域リソースが利用可能であるか否かを決定する決定モジュール５１０と、
前記第１の時間領域リソースが利用可能である場合、前記第１の時間領域リソースを介して前記第１の情報を送信する通信モジュール５２０と、を含む。
【０１２１】
選択的に、幾つかの実施例では、前記第１のエネルギー検出閾値は、第１の送信電力に従って決定され、前記通信モジュールは具体的に、
第２の送信電力を使用して、前記第１の時間領域リソースを介して前記第１の情報を送信し、ここで、前記第２の送信電力の大きさは、前記第１の送信電力の大きさとは異なる。
【０１２２】
選択的に、幾つかの実施例では、前記通信モジュール５２０はまた、
第２のビームを使用して、前記第１の時間領域リソースを介して前記第１の情報を送信し、ここで、前記第２のビームは前記第１のビームとは異なり、前記第２のビームに対応する方向と前記第１のビームに対応する方向は、少なくとも部分的に重なっている。
【０１２３】
選択的に、幾つかの実施例では、前記第１のビームは第１のビーム集合内のビームであり、前記第２のビームは第２のビーム集合内のビームである。
【０１２４】
選択的に、幾つかの実施例では、前記第１のビームに対応する方向は、前記第２のビームに対応する方向を含み、前記第１のビームのカバレッジ角度は、前記第２のビームのカバレッジ角度より大きい。
【０１２５】
選択的に、幾つかの実施例では、前記第１のビームのビームゲインは前記第２のビームのビームゲインより小さく、前記第２の送信電力は前記第１の送信電力より小さい。
【０１２６】
選択的に、幾つかの実施例では、前記第２の送信電力の大きさは、前記第１の送信電力の大きさから調整量を引いたものに等しく、ここで、前記調整量は、前記第２のビームのビームゲインの大きさと前記第１のビームのビームゲインの大きさとの差に応じて決定される。
【０１２７】
選択的に、幾つかの実施例では、前記第１のビームのビームゲインは前記第２のビームのビームゲインより大きく、前記第２の送信電力は前記第１の送信電力に等しい。
【０１２８】
選択的に、幾つかの実施例では、前記第１のビームのビームゲインは前記第２のビームのビームゲインより大きく、前記第２の送信電力は前記第１の送信電力より大きい。
【０１２９】
選択的に、幾つかの実施例では、前記第２の送信電力の大きさは、前記第１の送信電力の大きさに調整量を加えたものに等しく、ここで、前記調整量は、前記第２のビームのビームゲインの大きさと前記第１のビームのビームゲインの大きさとの差に応じて決定される。
【０１３０】
選択的に、幾つかの実施例では、前記通信モジュール５２０はまた、
第２のデバイスにより送信された、前記第２のビームの情報を指示するための第１の指示情報を受信し、
前記決定モジュール５１０はまた、前記第２のビームの情報に従って前記第１のビームの情報を決定する。
【０１３１】
選択的に、幾つかの実施例では、前記通信モジュール５２０はまた、
第２のデバイスにより送信された、前記第１のビームの情報を指示するための第２の指示情報を受信する。
【０１３２】
選択的に、幾つかの実施例では、前記通信モジュール５２０はまた、
第２のデバイスにより送信された、前記第２の送信電力の情報を決定するための第３の指示情報を受信し、
前記決定モジュール５１０はまた、前記第２の送信電力の情報に従って前記第１の送信電力を決定する。
【０１３３】
選択的に、幾つかの実施例では、前記デバイス５００はネットワークデバイスである。
【０１３４】
選択的に、幾つかの実施例では、前記デバイス５００は端末デバイスである。
【０１３５】
本発明の実施例に係る情報を伝送するデバイス５００は、本発明の方法の実施例における第１のデバイスに対応してもよく、デバイス５００における各ユニットの上記及び他の動作及び／又は機能はそれぞれ、図１に示す方法１００における第１のデバイスの対応するフローを実現するためのものであり、簡潔にするためにここでは繰り返さないことを理解されたい。
【０１３６】
図７は、本発明の実施例に係る情報を伝送するデバイスの概略ブロック図である。図７のデバイス６００は、
第１のビーム及び第１のエネルギー検出閾値を使用して、アンライセンスキャリア上の第１のチャネルに対してチャネル検出を行うことで、第１の情報を送信するために使用される第１の時間領域リソースが利用可能であるか否かを決定する決定モジュール６１０と、
前記第１の時間領域リソースが利用可能である場合、第１のビームのカバレッジ角度がデータ送信に使用される第２のビームのカバレッジ角度より小さければ、前記第１の時間領域リソースを介して前記第１の情報を送信しない通信モジュール６２０と、を含み、
ここで、前記第２のビームに対応する方向と前記第１のビームに対応する方向は、少なくとも部分的に重なっている。
【０１３７】
選択的に、幾つかの実施例では、前記第１のビームは第１のビーム集合内のビームであり、前記第２のビームは第２のビーム集合内のビームである。
【０１３８】
選択的に、幾つかの実施例では、前記通信モジュール６２０はまた、
第２のデバイスにより送信された、前記第２のビームの情報を指示するための第１の指示情報を受信し、
前記決定モジュール６１０はまた、前記第２のビームの情報に従って前記第１のビームの情報を決定する。
【０１３９】
選択的に、幾つかの実施例では、前記通信モジュール６２０はまた、
第２のデバイスにより送信された、前記第１のビームの情報を指示するための第２の指示情報を受信する。
【０１４０】
選択的に、幾つかの実施例では、前記デバイス６００はネットワークデバイスである。
【０１４１】
選択的に、幾つかの実施例では、前記デバイス６００は端末デバイスである。
【０１４２】
具体的に、このデバイス６００は、上記の方法４００で説明された第１のデバイスに対応してもよく（例えば、前記第１のデバイスに設定されるか、又はそれ自体が前記第１のデバイスであってもよい）、かつ、このデバイス６００における各モジュール又はユニットはそれぞれ、上記の方法４００において第１のデバイスにより実行される各動作又は処理手順を実行するために使用され、ここでは、重複を避けるため、詳細な説明は省略する。
【０１４３】
図８に示すように、本発明の実施例は、情報を伝送するデバイス７００をさらに提供し、前記デバイス７００は、図６のデバイス５００であってもよく、図１の方法１００に対応する第１のデバイスのコンテンツを実行するために使用されることができる。前記デバイス７００は、入力インターフェース７１０、出力インターフェース７２０、プロセッサー７３０、及びメモリ７４０を含み、前記入力インターフェース７１０、出力インターフェース７２０、プロセッサー７３０、及びメモリ７４０はバスシステムを介して接続されることができる。前記メモリ７４０は、プログラム、命令、又はコードを格納するために使用される。前記プロセッサー７３０は、前記メモリ７４０内のプログラム、命令、又はコードを実行して、信号を受信するように入力インターフェース７１０制御し、信号を送信するように出力インターフェース７２０を制御し、及び前述の方法の実施例における動作を完了するように構成される。
【０１４４】
本発明の実施例では、前記プロセッサー７３０は中央処理装置（Ｃｅｎｔｒａｌ  Ｐｒｏｃｅｓｓｉｎｇ  Ｕｎｉｔ、単に「ＣＰＵ」と称する）であってもよく、前記プロセッサー７３０はまた、他の汎用プロセッサー、デジタル信号プロセッサー（ＤＳＰ）、専用集積回路（ＡＳＩＣ）、フィールドプログラマブルゲートアレイ（ＦＰＧＡ）又は他のプログラマブル論理デバイス、ディスクリートゲート又はトランジスタ論理デバイス、ディスクリートハードウェアコンポーネント等であってもよいことを理解されたい。汎用プロセッサーはマイクロプロセッサーであってもよく、又は、前記プロセッサーはいずれかの通常のプロセッサー等であってもよい。
【０１４５】
前記メモリ７４０は、読み取り専用メモリ及びランダムアクセスメモリを含んでもよく、プロセッサー７３０に命令及びデータを提供する。メモリ７４０の一部はまた、不揮発性ランダムアクセスメモリを含んでもよい。例えば、メモリ７４０はまた、デバイスタイプ情報を格納することができる。
【０１４６】
実装の過程で、上記の方法の各ステップは、プロセッサー７３０におけるハードウェアの集積論理回路又はソフトウェアの形の命令により完了することができる。本発明の実施例に結合して開示された方法のステップは、ハードウェアプロセッサーにより実行されて完了するように直接具現化されるか、又はプロセッサーにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の本技術分野の成熟した記録媒体に配置されることができる。前記記録媒体はメモリ７４０に配置され、プロセッサー７３０はメモリ７４０内の情報を読み取り、そのハードウェアと組み合わせて上記の方法のステップを完了する。ここでは、重複を避けるため、詳細な説明は省略する。
【０１４７】
ある特定の実施形態では、図６のデバイス５００に含まれる決定モジュール５１０は、図８のプロセッサー７３０により実現されることができ、図６のデバイス５００に含まれる通信モジュール５２０は、図８の前記入力インターフェース７１０及び前記出力インターフェース７２０により実現されることができる。
【０１４８】
図９に示すように、本発明の実施例は、情報を伝送するデバイス８００をさらに提供し、前記デバイス８００は、図７のデバイス６００であってもよく、図４の方法４００に対応する第１のデバイスのコンテンツを実行するために使用されることができる。前記デバイス８００は、入力インターフェース８１０、出力インターフェース８２０、プロセッサー８３０、及びメモリ８４０を含み、前記入力インターフェース８１０、出力インターフェース８２０、プロセッサー８３０、及びメモリ８４０はバスシステム介して接続されることができる。前記メモリ８４０は、プログラム、命令、又はコードを格納するために使用される。前記プロセッサー８３０は、前記メモリ８４０内のプログラム、命令、又はコードを実行して、信号を受信するように入力インターフェース８１０を制御し、信号を送信するように出力インターフェース８２０を制御し、及び前述の方法の実施例における動作を完了するように構成される。
【０１４９】
本発明の実施例では、前記プロセッサー８３０は中央処理装置（Ｃｅｎｔｒａｌ  Ｐｒｏｃｅｓｓｉｎｇ  Ｕｎｉｔ、単に「ＣＰＵ」と称する）であってもよく、前記プロセッサー８３０はまた、他の汎用プロセッサー、デジタル信号プロセッサー（ＤＳＰ）、専用集積回路（ＡＳＩＣ）、フィールドプログラマブルゲートアレイ（ＦＰＧＡ）又は他のプログラマブル論理デバイス、ディスクリートゲート又はトランジスタ論理デバイス、ディスクリートハードウェアコンポーネント等であってもよいことを理解されたい。汎用プロセッサーはマイクロプロセッサーであってもよく、又は、前記プロセッサーはいずれかの通常のプロセッサー等であってもよい。
【０１５０】
前記メモリ８４０は、読み取り専用メモリ及びランダムアクセスメモリを含んでもよく、プロセッサー８３０に命令及びデータを提供する。メモリ８４０の一部はまた、不揮発性ランダムアクセスメモリを含んでもよい。例えば、メモリ８４０はまた、デバイスタイプ情報を格納することができる。
【０１５１】
実装の過程で、上記の方法の各ステップは、プロセッサー８３０におけるハードウェアの集積論理回路又はソフトウェアの形の命令により完了することができる。本発明の実施例に結合して開示された方法のステップは、ハードウェアプロセッサーにより実行されて完了するように直接具現化されるか、又はプロセッサーにおけるハードウェア及びソフトウェアモジュールの組み合わせにより実行されて完了することができる。ソフトウェアモジュールは、ランダムアクセスメモリ、フラッシュメモリ、読み取り専用メモリ、プログラマブル読み取り専用メモリ、又は電気的に消去可能なプログラマブルメモリ、レジスタ等の本技術分野の成熟した記録媒体に配置されることができる。前記記録媒体はメモリ８４０に配置され、プロセッサー８３０はメモリ８４０内の情報を読み取り、そのハードウェアと組み合わせて上記の方法のステップを完了する。ここでは、重複を避けるため、詳細な説明は省略する。
【０１５２】
ある特定の実施形態では、図７のデバイス６００に含まれる決定モジュール６１０は、図９のプロセッサー８３０により実現されることができ、図７のデバイス６００に含まれる通信モジュール６２０は、図９の前記入力インターフェース８１０及び前記出力インターフェース８２０により実現されることができる。
【０１５３】
本発明の実施例は、１つ又は複数のプログラムを格納するコンピュータ読み取り可能な記録媒体をさらに提供し、この１つ又は複数のプログラムは命令を含み、この命令が複数のアプリケーションプログラムを含む携帯型電子デバイスにより実行されると、当該携帯型電子デバイスに図１〜図５に示す実施例の方法を実行させることができる。
【０１５４】
本発明の実施例は、命令を含むコンピュータプログラムをさらに提供し、このコンピュータプログラムがコンピュータにより実行されると、は、図１〜図５に示す実施例の方法の対応するフローをコンピュータが実行することを可能にする。
【０１５５】
当業者であれば、本明細書に開示された実施例に関連して説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに異なる方法を使用して記載された機能を実現できるが、このような実現が本発明の範囲を超えると考慮されるべきではない。
【０１５６】
当業者であれば、説明の便宜及び簡潔さのために、前述したシステム、装置、及びユニットの具体的な動作プロセスについては、前述の方法の実施例における対応するプロセスを参照することができ、ここで詳細な説明を省略することを理解することができる。
【０１５７】
本発明に提供された幾つかの実施例において、開示されたシステム、装置及び方法は、他の方式で実現されてもよいことを理解されたい。例えば、上述のような装置の実施例は、単なる例にすぎず、例えば、前記ユニットの区分は、単なる論理的な機能による区分であり、実際に実現するときは他の区分方式によってもよく、例えば、複数のユニット又はコンポーネントが組み合わされるか又は別のシステムに集積されてもよく、或いは幾つかの特徴が省略され又は実行されなくてもよい。一方、示された又は検討された相互間の結合又は直接的な結合又は通信接続は、幾つかのインターフェイスを介してもよく、装置又はユニットの間接的な結合又は通信接続は、電気的、機械的、又は他の形態であってもよい。
【０１５８】
前記分離部材として説明されたユニットは、物理的に分離されてもよく、物理的に分離されなくてもよく、ユニットとして示された部材は、物理的なユニットであってもよく、物理的なユニットでなくてもよく、すなわち、あるところに位置してもよく、複数のネットワークユニット上に分散されてもよい。実際の需要に応じて、一部又は全部のユニットを選択し、本実施例の解決策の目的を実現することができる。
【０１５９】
なお、本発明の各実施例に係る各機能ユニットは、１つの処理ユニットに集積されていてもよく、各ユニットが個別に物理的に存在していてもよく、２つ又は２つ以上のユニットが１つのユニットに集積されていてもよい。
【０１６０】
前記機能がソフトウェア機能ユニットの形で実現され、且つ独立した製品として販売又は使用される場合には、１つのコンピュータ読み取り可能な記録媒体に格納されることができる。このような理解に基づき、本発明の技術手段は本質的に、従来技術に貢献した部分又は前記技術手段の一部がソフトウェア製品の形で具現化されることができ、前記コンピュータソフトウェア製品は、１つの記録媒体に格納され、１台のコンピュータデバイス（パーソナルコンピュータ、サーバ、又はネットワークデバイス等であってもよい）に本発明の各実施例に記載の方法のステップの全部又は一部を実行させる命令を若干備える。ここで、前述の記録媒体は、ＵＳＢメモリ、モバイルハードディスク、読み取り専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク、又は光ディスク等のプログラムコードを格納可能な様々な媒体を含む。
【０１６１】
以上は、本発明の好ましい実施形態にすぎず、本発明の保護範囲はこれらに限定されない。この技術分野の当業者であれば、いずれも本発明に提示された技術範囲内で、変更又は置き換えを行うことを容易に想到でき、このような変更又は置き換えはいずれも本発明の保護範囲に含まれるべきである。したがって、本発明の保護範囲は、特許請求の範囲に従うべきである。
【図１】
2021520088.tif 000003
【図２】
2021520088.tif 000004
【図３】
2021520088.tif 000005
【図４】
2021520088.tif 000006
【図５】
2021520088.tif 000007
【図６】
2021520088.tif 000008
【図７】
2021520088.tif 000009
【図８】
2021520088.tif 000010
【図９】
2021520088.tif 000011
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するステップと、
前記第１の時間領域リソースが利用可能である場合、前記第１のデバイスが前記第１の時間領域リソースを介して前記第１の情報を送信するステップと、を含む
ことを特徴とする情報を伝送する方法。
【請求項２】
前記第１のエネルギー検出閾値は、第１の送信電力に従って決定され、
前記第１のデバイスが前記第１の時間領域リソースを介して前記第１の情報を送信するステップは、
前記第１のデバイスが、第２の送信電力を使用して、前記第１の時間領域リソースを介して前記第１の情報を送信するステップを含み、前記第２の送信電力の大きさは、前記第１の送信電力の大きさとは異なる
ことを特徴とする請求項１に記載の方法。
【請求項３】
前記第１のデバイスが前記第１の時間領域リソースを介して前記第１の情報を送信するステップは、
前記第１のデバイスが、第２のビームを使用して、前記第１の時間領域リソースを介して前記第１の情報を送信するステップを含み、前記第２のビームは前記第１のビームと異なり、前記第２のビームに対応する方向と前記第１のビームに対応する方向は少なくとも部分的に重なっている
ことを特徴とする請求項１又は２に記載の方法。
【請求項４】
前記第１のビームは第１のビーム集合内のビームであり、前記第２のビームは第２のビーム集合内のビームである
ことを特徴とする請求項３に記載の方法。
【請求項５】
前記第１のビームに対応する方向は前記第２のビームに対応する方向を含み、前記第１のビームのカバレッジ角度は前記第２のビームのカバレッジ角度より大きい
ことを特徴とする請求項３又は４に記載の方法。
【請求項６】
前記第１のビームのビームゲインは前記第２のビームのビームゲインより小さく、前記第２の送信電力は前記第１の送信電力より小さい
ことを特徴とする請求項３〜５のいずれか１項に記載の方法。
【請求項７】
前記第２の送信電力の大きさは、前記第１の送信電力の大きさから調整量を引いたものに等しく、前記調整量は、前記第２のビームのビームゲインの大きさと前記第１のビームのビームゲインの大きさとの差に応じて決定される
ことを特徴とする請求項６に記載の方法。
【請求項８】
前記第１のビームのビームゲインは前記第２のビームのビームゲインより大きく、前記第２の送信電力は前記第１の送信電力以上である
ことを特徴とする請求項３〜５のいずれか１項に記載の方法。
【請求項９】
前記第２の送信電力の大きさは、前記第１の送信電力の大きさに調整量を加えたものに等しく、前記調整量は、前記第２のビームのビームゲインの大きさと前記第１のビームのビームゲインの大きさとの差に応じて決定される
ことを特徴とする請求項８に記載の方法。
【請求項１０】
前記第１のデバイスが、第２のデバイスにより送信された、前記第２のビームの情報を指示するための第１の指示情報を受信するステップと、
前記第１のデバイスが、前記第２のビームの情報に従って前記第１のビームの情報を決定するステップと、をさらに含む
ことを特徴とする請求項３〜９のいずれか１項に記載の方法。
【請求項１１】
前記第１のデバイスが、第２のデバイスにより送信された、前記第１のビームの情報を指示するための第２の指示情報を受信するステップをさらに含む
ことを特徴とする請求項３〜１０のいずれか１項に記載の方法。
【請求項１２】
前記第１のデバイスが、第２のデバイスにより送信された、前記第２の送信電力の情報を決定するための第３の指示情報を受信するステップと、
前記第１のデバイスが、前記第２の送信電力の情報に従って前記第１の送信電力を決定するステップと、をさらに含む
ことを特徴とする請求項３〜１１のいずれか１項に記載の方法。
【請求項１３】
第１のデバイスが、第１のビーム及び第１のエネルギー検出閾値を使用して、アンライセンスキャリア上の第１のチャネルに対してチャネル検出を行うことで、第１の情報を送信するために前記第１のデバイスにより使用される第１の時間領域リソースが利用可能であるか否かを決定するステップと、
前記第１の時間領域リソースが利用可能である場合、第１のビームのカバレッジ角度がデータ送信に使用される第２のビームのカバレッジ角度より小さければ、前記第１のデバイスは前記第１の時間領域リソースを介して前記第１の情報を送信しないステップと、を含み、
前記第２のビームに対応する方向と前記第１のビームに対応する方向は、少なくとも部分的に重なっている
ことを特徴とする情報を伝送する方法。
【請求項１４】
前記第１のデバイスが、第２のデバイスにより送信された、前記第２のビームの情報を指示するための第１の指示情報を受信するステップと、
前記第１のデバイスが、前記第２のビームの情報に従って前記第１のビームの情報を決定するステップと、をさらに含む
ことを特徴とする請求項１３に記載の方法。
【請求項１５】
第１のビーム及び第１のエネルギー検出閾値を使用して、アンライセンスキャリア上の第１のチャネルに対してチャネル検出を行うことで、第１の情報を送信するために使用される第１の時間領域リソースが利用可能であるか否かを決定する決定モジュールと、
前記第１の時間領域リソースが利用可能である場合、前記第１の時間領域リソースを介して前記第１の情報を送信する通信モジュールと、を含む
ことを特徴とする情報を伝送するデバイス。
【国際調査報告】
2021520088.tif 000012
2021520088.tif 000013
2021520088.tif 000014
2021520088.tif 000015